(57)【要約】【課題】受信したファクシミリ文書に関するファイルを共有フォルダへ格納する画像通信処理装置において、共有フォルダへの格納が正常にできることをシステム運用前に確認するためのテスト方法を提供する。【解決手段】画像通信処理装置（ＦＡＸサーバ１０）は、共有フォルダ（ファイルサーバ２０）にテスト格納するためのダミーファイルを作成し、作成されたダミーファイルを、記憶領域に記憶された設定値を用いて、ネットワーク制御部を介して共有フォルダに書き込み、共有フォルダへの書き込みが正常に行われたか否かを判定する。これにより、実際にファクシミリ文書を受信する前に、設定値に誤りがないかをテストして確認できる。【選択図】図１
2009027263.tif 000002
【特許請求の範囲】
【請求項１】
ファクシミリ文書データを受信するためのファクシミリ受信制御部と、
ネットワーク上の共有フォルダに対して、ファイルを送受信するためのネットワーク制御部と、
前記共有フォルダに対して、ファイルの読み出し及び書き込みをするための設定値を記憶する記憶領域と、
前記ファクシミリ受信制御部で受信したファクシミリ文書データに基づいて、ネットワーク上の共有フォルダに格納するための画像情報ファイルを作成し、作成された画像情報ファイルを、前記記憶領域に記憶された設定値を用いて、前記ネットワーク制御部を介して前記共有フォルダに書き込むための処理装置と、
を備え、
前記処理装置は、
前記共有フォルダにテスト格納するためのダミーファイル作成し、
作成された前記ダミーファイルを、前記記憶領域に記憶された設定値を用いて、前記ネットワーク制御部を介して前記共有フォルダに書き込み、
前記共有フォルダへの書き込みが正常に行われたか否かを判定する、
ことを特徴とする画像通信処理装置。
【請求項２】
前記処理装置は、
前記共有フォルダに書き込みを行うために送信した前記ダミーファイルと、書き込み後に前記共有フォルダから読み出したダミーファイルとを比較照合することにより、前記共有フォルダへの書き込みが正常に行われたか否かを判定する、
ことを特徴とする請求項１記載の画像通信処理装置。
【請求項３】
前記処理装置は、
前記共有フォルダへの書き込みが正常に行われなかったとき、エラーの原因が前記画像通信制御装置に起因するものであるか否かを検出する、
ことを特徴とする請求項１又は２記載の画像通信処理装置。
【請求項４】
前記処理装置は、
前記共有フォルダへの書き込みが正常に行われなかったとき、エラーの原因が前記共有フォルダ側に起因するものであるか否かを検出する、
ことを特徴とする請求項１乃至３のいずれかに記載の画像通信処理装置。
【請求項５】
前記処理装置は、
前記共有フォルダへの書き込みが正常に行われなかったとき、エラーの原因が前記画像通信処理装置と前記共有フォルダ間の通信に起因するものであるか否かを検出する、
ことを特徴とする請求項１乃至４のいずれかに記載の画像通信処理装置。
【請求項６】
前記記憶領域には、さらに、
ファイルサイズの異なる複数のサンプルデータが記憶され、
前記処理装置は、
前記記憶領域に記憶された複数のサンプルデータの中から選択されたサンプルデータに基づいて、前記ダミーファイルを作成する、
ことを特徴とする請求項１乃至５のいずれかに記載の画像通信処理装置。
【請求項７】
ファクシミリ文書データを受信するためのファクシミリ受信制御部と、
ネットワーク上の共有フォルダに対して、ファイルを送受信するためのネットワーク制御部と、
前記共有フォルダに対して、ファイルの読み出し及び書き込みをするための設定値を記憶する記憶領域と、
前記ファクシミリ受信制御部で受信したファクシミリ文書データに基づいて、ネットワーク上の共有フォルダに格納するための画像情報ファイルを作成し、作成された画像情報ファイルを、前記記憶領域に記憶された設定値を用いて、前記ネットワーク制御部を介して前記共有フォルダに書き込むための処理装置と、
を備える画像通信処理装置において、前記共有フォルダへのファイル格納テストを行う方法であって、
前記処理装置が、
前記記憶領域に設定値を格納するステップと、
前記共有フォルダにテスト格納するためのダミーファイル作成するステップと、
作成された前記ダミーファイルを、前記記憶領域に記憶された設定値を用いて、前記ネットワーク制御部を介して前記共有フォルダに書き込むステップと、
前記共有フォルダへの書き込みが正常に行われたか否かを判定するステップと、
を備えるファイル格納テスト方法。
【請求項８】
請求項７に記載のファイル格納テスト方法を、前記画像通信処理装置として機能するコンピュータに実行させるためのプログラム。
【発明の詳細な説明】
【技術分野】
【０００１】
本発明は、ファクシミリ受信した文書を共有フォルダへ格納するための画像通信処理技術に関する。
【背景技術】
【０００２】
従来、プリンタ、コピー、スキャナ、ファクシミリ等の機能を集約して１台の機器に搭載するデジタル複合機（以下、単に「複合機」ともいう。）が知られている（例えば、特許文献１）。デジタル複合機は、単体でプリンタやスキャナとして利用できるほか、コンピュータを介さずコピー機として機能するものがある。また、電話回線の接続口を持ち、ファクシミリ文書を送受信する機能を持つものも知られている。
【０００３】
ところで、ファクシミリ文書を送受信可能な複合機の場合、電話回線経由で受信したファクシミリ文書の出力先を、任意に選択できるようになっているものもある。このとき、出力先としては、例えば、プリンタ、電子メール、ネットワーク上の共有フォルダなどを選択することができる。
【０００４】
出力先としてプリンタが選択された場合には、受信したファクシミリ文書が、複合機のプリンタ部で印刷出力される。出力先として電子メールが選択された場合、複合機は、受信したファクシミリ文書をファイル化してメールサーバに送り、予め設定されたメールアドレス等に対して、ファイル添付の形でメール送信する。
【０００５】
また、出力先として共有フォルダが選択された場合、複合機は、受信したファクシミリ文書に基づいて、パーソナルコンピュータ（ＰＣ）等で閲覧可能な形式のファイルを作成し、予め設定された共有フォルダにファイルを保存する。なお、保存されたファイルは保存フォーマットに対応したビューワを用いて閲覧することが可能である。
【特許文献１】特許第３２１５２２５号公報
【発明の開示】
【発明が解決しようとする課題】
【０００６】
ところで、共有フォルダにデータの書き込みを行うためには、共有フォルダを管理するファイルサーバに対して、システム管理者等のユーザ名、パスワード、ファイルサーバの位置情報（格納場所）などの情報を渡す必要がある。そのため、従来の複合機では、ユーザ名、パスワード等の値を予め設定しておき、受信したファクシミリ文書をファイル化して共有フォルダに保存する際、これらの設定値を用いて保存している。
【０００７】
しかし、従来の複合機では、ファクシミリ文書を実際に受信するまで、共有フォルダへの書き込み処理が行われない。そのため、ユーザ（システム管理者）は、ユーザ名、パスワード等の値を設定したとき、設定値を正しく設定できたか否かを設定直後に確認することができず、実際にファクシミリ文書を受信して共有フォルダにファイル保存を行うまで、設定が正しく行われたか否かを確認することができない。しかも、設定が正しく行われたか否かは、実際にファイル保存を行うことができたか否かにより判断するしかないという状況である。
【０００８】
本発明は、かかる事情に鑑みてなされたものであり、本発明に係る幾つかの態様は、ファクシミリの受信が可能で、受信したファクシミリ文書に基づいて画像ファイルを作成して共有フォルダへ格納する画像通信処理装置において、共有フォルダへの格納が正常にできることをシステム運用前に確認するためのテスト方法を提供するものである。
【課題を解決するための手段】
【０００９】
上記課題を解決するために、本発明による画像通信処理装置は、ファクシミリ文書データを受信するためのファクシミリ受信制御部と、ネットワーク上の共有フォルダに対して、ファイルを送受信するためのネットワーク制御部と、共有フォルダに対して、ファイルの読み出し及び書き込みをするための設定値を記憶する記憶領域と、ファクシミリ受信制御部で受信したファクシミリ文書データに基づいて、ネットワーク上の共有フォルダに格納するための画像情報ファイルを作成し、作成された画像情報ファイルを、記憶領域に記憶された設定値を用いて、ネットワーク制御部を介して共有フォルダに書き込むための処理装置と、を備える。そして、処理装置は、共有フォルダにテスト格納するためのダミーファイル作成し、作成されたダミーファイルを、記憶領域に記憶された設定値を用いて、ネットワーク制御部を介して共有フォルダに書き込み、共有フォルダへの書き込みが正常に行われたか否かを判定する。
【００１０】
なお、本発明において「ファクシミリ文書データ」とは、文書等をファクシミリで送受信する際に伝送されるデータを含む。好適には、Ｇ３或いはＧ４等のファクシミリの国際規格に準拠した形式のデータであるとよい。また、「画像情報ファイル」とは、画像通信処理装置が受信したファクシミリ文書データに基づいて生成されるデータファイルを含む。好適には、ファクシミリ文書データを変換して作成されたＰＣ等で閲覧可能な形式（例えば、ＰＤＦ、ＴＩＦＦ、ＪＰＥＧ等）の画像ファイル、及び／又は、ファクシミリ文書データを受信した日時を含む情報ファイル、を含む。さらに、「ダミーファイル」のファイル形式は、画像ファイル及び／又は情報ファイルと同じものであることが好ましい。
【００１１】
かかる発明によれば、実際にファクシミリ文書データを受信することなく、ファクシミリを受信した際に作成される画像情報ファイルと同等のダミーファイルを擬似的に作成して共有フォルダへの書き込みができるか否かをテストできるため、設定値の設定が正しく行われたか否かを、実際のファクシミリ受信と関係なく、システム運用前に確認できるという効果を有する。
【００１２】
ここで、処理装置は、共有フォルダに書き込みを行うために送信したダミーファイルと、書き込み後に共有フォルダから読み出したダミーファイルとを比較照合することにより、共有フォルダへの書き込みが正常に行われたか否かを判定するものであることが好ましい。
【００１３】
かかる発明によれば、共有フォルダ側でのファイルアクセス管理に問題があるか否か、より具体的には、例えば、共有フォルダ側でのファイルの読み書きや、ファイルをロックできずファイルのリネームや上書きのおそれがあるか否か等を判定することができるという効果を奏する。
【００１４】
また、処理装置は、共有フォルダへの書き込みが正常に行われなかったとき、エラーの原因が画像通信制御装置に起因するものであるか否かを検出するものであることが好ましい。また、処理装置は、共有フォルダへの書き込みが正常に行われなかったとき、エラーの原因が共有フォルダ側に起因するものであるか否かを検出するものであることが好ましい。加えて、処理装置は、共有フォルダへの書き込みが正常に行われなかったとき、エラーの原因が画像通信処理装置と共有フォルダ間の通信に起因するものであるか否かを検出するものであることが好ましい。
【００１５】
かかる発明によれば、ファイル格納テスト処理において、共有フォルダへの書き込みに失敗したとき、エラーの箇所を簡単に特定することができ、デバッグをより容易に行うことが可能になるという効果を奏する。
【００１６】
さらに、記憶領域には、ファイルサイズの異なる複数のサンプルデータが記憶され、処理装置は、記憶領域に記憶された複数のサンプルデータの中から選択されたサンプルデータに基づいて、ダミーファイルを作成するものであることが好ましい。
【００１７】
かかる発明によれば、ユーザが予め利用環境に応じたファイルサイズのデータを選択しておくことによって、当該ファイルサイズに対応したダミーファイルが作成されるので、画像通信処理装置の利用環境に適したダミーファイルでテスト処理を行うことが可能になる。また、所定ファイルサイズのダミーファイルの読み書きができた場合には、共有フォルダに、少なくとも当該ファイルサイズの空き容量が存在することを確認できる。
【００１８】
また、本発明によるファイル格納テスト方法は、ファクシミリ文書データを受信するためのファクシミリ受信制御部と、ネットワーク上の共有フォルダに対して、ファイルを送受信するためのネットワーク制御部と、共有フォルダに対して、ファイルの読み出し及び書き込みをするための設定値を記憶する記憶領域と、ファクシミリ受信制御部で受信したファクシミリ文書データに基づいて、ネットワーク上の共有フォルダに格納するための画像情報ファイルを作成し、作成された画像情報ファイルを、記憶領域に記憶された設定値を用いて、ネットワーク制御部を介して共有フォルダに書き込むための処理装置と、を備える画像通信処理装置において、処理装置が、記憶領域に設定値を格納するステップと、共有フォルダにテスト格納するためのダミーファイル作成するステップと、作成されたダミーファイルを、記憶領域に記憶された設定値を用いて、ネットワーク制御部を介して共有フォルダに書き込むステップと、共有フォルダへの書き込みが正常に行われたか否かを判定するステップと、を備える。
【００１９】
さらに、本発明のプログラムは、本発明のファイル格納テスト方法の各ステップを、画像通信処理装置として機能するコンピュータに実行させることを特徴とする。本発明のプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【００２０】
なお、本明細書等において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されてもよい。
【発明を実施するための最良の形態】
【００２１】
以下、本発明の実施の形態について図面を参照しつつ詳細に説明する。なお、同一の要素には同一の符号を付し、重複する説明を省略する。
【００２２】
図１は、本発明の画像通信処理装置の一実施形態に係るファクシミリサーバ（以下「ＦＡＸサーバ」という。）１０を含む画像通信処理システム１００の全体構成を示すブロック図である。図１に示すように、本画像通信処理システム１００は、ＦＡＸサーバ１０とファイルサーバ２０とが通信ネットワーク３０を介して相互に接続され、かつ、ＦＡＸサーバ１０が公衆回線網４０に接続されることにより構成される。また、公衆回線網４０には、ファクシミリ機器（以下「ＦＡＸ機」という。）５０が接続されている。
【００２３】
ＦＡＸサーバ１０は、本画像通信処理装置の一実施形態であり、ＦＡＸ機５０からファクシミリ文書データを受信し、受信したファクシミリ文書データをクライアントＰＣ２５で利用可能な形式の画像情報ファイルに変換し、ファイルサーバ２０に送信する機能を備えている。なお、ＦＡＸサーバ１０は、専用又は汎用のコンピュータを適用可能である。
【００２４】
ファイルサーバ２０は記憶領域を有し、通信ネットワーク３０上で共有フォルダとして機能するコンピュータである。本実施形態では、ＦＡＸサーバ１０が受信したファクシミリ文書データに基づいて作成された画像情報ファイルが、ファイルサーバ２０に格納される。
【００２５】
また、本実施形態では、ファイル共有のプロトコルとしてＣＩＦＳ（Common Internet File System）を使用し、ファイルサーバ２０は、所定のユーザ名及びパスワードでの書き込みに対して、書き込みアクセス許可されているものとする。なお、ＣＩＦＳとは、ネットワークを通じてファイル共有を実現するプロトコルの一例であり、他の任意のファイル共有プロトコルを採用可能であることはいうまでもない。
【００２６】
通信ネットワーク３０は、ＦＡＸサーバ１０とファイルサーバ２０とを接続し、これらの間で画像情報ファイルを含む任意のデータを送受信するための通信回線である。好適には、通信ネットワーク３０はＬＡＮにより構成されるが、他にも例えば、インターネット、専用線、パケット通信網、企業内ネットワーク、その他の通信回線、それらの組み合わせ等のいずれであってもよく、また、有線であるか無線であるかを問わない。
【００２７】
なお、通信ネットワーク３０には、ＦＡＸサーバ１０及びファイルサーバ２０の他に、クライアントＰＣ２５やメールサーバ（図示略）等が接続されてもよい。クライアントＰＣ２５は、ファイルサーバ２０へアクセスし、共有フォルダから画像情報ファイルを読み出すことにより、ＦＡＸサーバ１０が受信したファクシミリ文書データの画像や各種情報を表示することができる。また、共有フォルダへ画像情報ファイルが格納された際に、クライアントＰＣに通知するようにしてもよい。
【００２８】
公衆回線網４０は、ＦＡＸサーバ１０とＦＡＸ機５０とを接続し、これらの間でファクシミリ文書データを送受信するための公衆回線網であり、好適には公衆電話回線網である。公衆回線網４０は、アナログ回線、デジタル回線、それらの組み合わせのいずれでもよく、また、有線であるか無線であるかを問わない。
【００２９】
ＦＡＸ機５０は、ファクシミリ文書データを送信する機能を少なくとも備える機器であり、例えば、市販のファクシミリ装置を利用可能である。
【００３０】
図２は、本発明の画像通信処理装置の一実施形態に係るＦＡＸサーバ１０の機能ブロックを示す図である。図２に示すように、ＦＡＸサーバ１０は、処理装置１１と、操作部１３と、記憶領域１４と、表示装置１５と、第１通信制御部１６と、第２通信制御部１７とを含む。
【００３１】
処理装置１１は、各部の制御や各種演算等の処理を行うプロセッサである。例えば、画像情報ファイルの作成、ダミーファイルの作成、画像情報ファイルのファイルサーバ２０への読み書き、ダミーファイルのファイルサーバ２０への読み書きに基づく設定値のテスト処理等を制御する。
【００３２】
操作部１３は、ユーザによる操作を受け付ける入力インタフェースである。
【００３３】
記憶領域１４は、ファイルサーバ２０へ画像情報ファイルやダミーファイルを格納するための設定値が格納される。また、ダミーファイルを作成する際に参照されるダミー画像等のサンプルデータが格納される。
【００３４】
表示装置１５は、本テスト処理のテスト結果等が表示されるものであり、例えば液晶パネルを採用可能である。第１通信制御部１６は、ＬＡＮ等の通信ネットワーク３０を通してＦＡＸサーバ１０とファイルサーバ２０との間の通信を行う通信インタフェースである。また、第２通信制御部１７は、公衆電話回線等の公衆回線網４０を通してＦＡＸサーバ１０とＦＡＸ機５０との間の通信を行う通信インタフェースである。
【００３５】
なお、ＦＡＸサーバ１０とファイルサーバ２０はそれぞれ、単一のコンピュータより構成されるものであっても、ネットワーク上に分散した複数のコンピュータより構成されるものであってもよい。また、単一のコンピュータが複数のサーバ機能を備えてもよい。なお、ＦＡＸサーバ１０は、本発明に係るテスト処理を実行するためのプログラムが記憶領域１４等に格納され、このプログラムに基づいてテスト処理を実行する。
【００３６】
次に、本実施形態におけるＦＡＸサーバ１０の動作の概要について説明するが、本発明に係る設定値のテスト処理の説明をする前に、まず、ＦＡＸサーバ１０が、受信したファクシミリ文書データを画像情報ファイルに変換してファイルサーバ２０に保存する処理について説明する。
【００３７】
ＦＡＸサーバ１０は、公衆回線網４０経由でＦＡＸ機５０からファクシミリ文書データ受信すると、受信したファクシミリ文書をファイル化して画像情報ファイルを作成し、当該画像情報ファイルを予め設定したファイルサーバ２０に保存する。
【００３８】
なお、本実施形態において、画像情報ファイルは、受信したファクシミリ文書データの画像をＰＤＦ等に変換した画像ファイルと、受信日時やファクシミリ送信元等の属性情報を示す情報ファイルとを含む。ここで、画像ファイルは、クライアントＰＣ等で閲覧可能な形式のファイルであればよい。情報ファイルは、テキスト形式のファイルであることが好ましい。また、これらのファイルのファイル名は定められた命名規則に従ってＦＡＸサーバ１０が付与し、このファイル名によって、画像ファイルと情報ファイルとが関連づけられる。
【００３９】
通信ネットワーク３０に接続されたクライアントＰＣでは、ファイルサーバ２０にアクセスし、保存された画像情報ファイルを読み出して画像や情報を表示させることができる。すなわち、ファイルサーバ２０にアクセスし、保存された画像ファイルに対応したビューワを用いて受信したファクシミリ文書の画像を確認できる。また、ファイルサーバ２０にアクセスし、保存された情報ファイルをテキストエディタで開いてファクシミリ文書データの受信日時やファクシミリ送信元等の情報を確認することができる。また、ファイルサーバ２０は、共有フォルダに画像情報ファイルが格納された際に、予め指定されたクライアントＰＣに対してファクシミリ受信してファイル保存した旨を通知してもよい。
【００４０】
それでは、次に、本発明に係る設定値のテスト処理の一実施形態について説明する。この設定値のテスト処理とは、ＦＡＸサーバ１０が画像情報ファイルをファイルサーバ２０に保存する処理が正常に動作することを確認するため、実際にファクシミリ受信する前に、ファイルサーバ２０への接続テストを実施する処理のことである。このテスト処理において、ＦＡＸサーバ１０は、ユーザにより設定され記憶領域１４に格納された設定値（ユーザ名、パスワード、フォルダパスなど）を用いて、ファイルサーバ２０へダミーファイルの書き込みを行い、ファイルサーバ２０へのファイル保存が正常に動作するか否かを確認する。
【００４１】
図３は、本発明の一実施形態に係るＦＡＸサーバ１０による設定値のテスト処理の流れを示すフローチャートである。
【００４２】
まず、ＦＡＸサーバ１０のユーザは、操作部１３を操作してＦＡＸサーバ１０に対して受信ファクシミリ文書格納用の設定を行う。設定項目としては、例えば、ファイルサーバ２０のＩＰアドレス又はドメイン名を含むホスト名、画像情報ファイルの保存先フォルダパス、画像情報ファイルの保存を行うためのユーザ名及びパスワードの設定を行う。そして、設定を終えると、ユーザの指示に基づいて、設定値が記憶領域１４に保存される（Ｓ６１）。
【００４３】
設定値が保存された後、ユーザは操作部１３を介してＦＡＸサーバ１０を操作して、テストの実行を指示する（Ｓ６２）。好適には、設定値が保存された直後にテストを実行することが好ましい。例えば、設定値の設定後に、表示装置１５に「テスト」ボタンを表示させ、ユーザが当該「テスト」ボタンを選択することにより、テスト処理を実行するとよい。また、ユーザの指示に依らず、設定値が保存された後に、自動でテストを実行してもよい。例えば、ウィザード形式で設定値の設定を行う場合には、ウィザードの最後に自動的にテスト処理を実行するとよい。
【００４４】
ＦＡＸサーバ１０の処理装置１１は、テスト実行の指示を受けると、ファイルサーバ２０にテスト保存するためのダミーファイルを作成する（Ｓ６３）。このダミーファイルは、記憶領域１４等に予め格納しておいたダミーデータを利用して作成すればよい。
【００４５】
このとき、設定しようとしているＦＡＸサーバ１０ではどのような種類の文書を受信することが多いかをユーザに予め選択させ、当該ＦＡＸサーバ１０のテストに最適なファイルサイズのダミーファイルを作成することが好ましい。例えば、ステップＳ６１の設定値の設定処理に続いて、標準文書、グラフィック、カラー画像等の中から、操作部１３を介してユーザに標準画像を選択させておく。そして、処理装置１１は、記憶領域１４に格納されている複数の所定サイズのサンプルデータの中から、ユーザによって選択された標準画像に対応するサンプルデータを取得して、ダミーファイルを作成する。
【００４６】
テスト保存用のダミーファイルを作成した後、ＦＡＸサーバ１０は、ステップＳ６１で記憶領域１４に保存した設定値を用いて、ファイルサーバ２０に対してダミーファイルの書き込みを実行する。そして、書き込みが終了した後、ＦＡＸサーバ１０は、保存したダミーファイルを正常に読み出すことができるか否かを確認する。こうして、ＦＡＸサーバ１０は、設定値に誤りがないかを判断する（Ｓ６４）。
【００４７】
ダミーファイルの書き込み又は読み出しが正常にできないとき、ＦＡＸサーバ１０は、受信したエラーメッセージ等の情報に基づいて、エラーの原因が何処にあるのかを判定する。すなわち、ＦＡＸサーバ１０側のエラーであるのか、ファイルサーバ２０側のエラーであるのか、或いは、通信エラーであるのかを特定する。
【００４８】
例えば、本実施形態では、ファイルサーバ２０への書き込みを行う際にユーザ名とパスワードが必要であり、ステップＳ６１で、ユーザ名又はパスワードを誤って設定してしまうと、ファイルサーバ２０にファイルを書き込むことができない。そして、ＣＩＦＳのプロトコルでは、ファイルサーバ２０は受信したユーザ名及びパスワードによって共有フォルダに書き込みを行うことができるか否かのメッセージをＦＡＸサーバ１０に返す仕様になっている。したがって、ＦＡＸサーバ１０は、ファイルサーバ２０から受信したメッセージを解析することによって、ＦＡＸサーバ１０の設定に誤りがあったか否かを判定することができる。こうして、ＦＡＸサーバ１０側のエラーを判定する。
【００４９】
また、ファイルサーバ２０から、書き込みディスク容量不足（ディスクフル）、作業用メモリ領域不足（メモリフル）、過負荷状態（ビジー）等のエラーメッセージが返ってきた場合、ＦＡＸサーバ１０は、ファイルサーバ２０側のエラーであるものと判定する。さらに、ＦＡＸサーバ１０がファイルサーバ２０にファイル書き込みを試みたところ、何も応答が返ってこない場合には、通信エラーであるものと判定する。
【００５０】
さらに、ＦＡＸサーバ１０は、ファイルサーバ２０に送ったダミーファイルと、ファイルサーバ２０から読み出したダミーファイルとを比較照合し（ベリファイ）、共有フォルダの信頼性を確認する。ベリファイによる照合結果が一致しない場合には、通信自体のエラーはないものの、ファイルサーバ２０側でファイルをロックできずファイルのリネームや上書きのおそれがあり、信頼性に欠けることを確認できる。
【００５１】
また、ベリファイの照合結果に問題がない場合には、テスト格納したダミーファイルを削除する。これにより、ファイルサーバ２０の共有フォルダの空き容量を確認する。
【００５２】
こうして、ステップＳ６４のダミーファイルの書き込み・読み出し処理が終了すると、ＦＡＸサーバ１０は、テスト保存用のダミーファイルが正常にファイルサーバ２０に書き込まれたか否かに関する結果を表示装置１５に表示する（Ｓ６５）。なお、表示装置１５では、設定値のテスト処理実行中にはテスト実行中の旨を表示し、テストが終了した場合にはテスト結果を表示してテストを終了する。
【００５３】
テスト結果がエラーの場合、すなわち正常終了しなかった場合は、ユーザにエラーを特定できる情報が表示装置１５に提示される。なお、テスト処理において、保存先フォルダにアクセスできなかった場合はリトライを行わず、即座に結果を出力する。
【００５４】
表示装置１５への表示内容の一例は、次のとおりである。例えば、テスト実行時は、「保存先ＰＣへ書き込みテスト中  しばらくお待ちください」を表示する。また、テストが正常に終了したときは、「保存先ＰＣへ書き込みテスト  正常終了しました」を所定時間表示する。さらに、エラー終了時は、「保存先ＰＣへ書き込みテスト  異常終了しました  ＸＸＸ」を所定時間表示する。ここで「ＸＸＸ」には、エラーの原因が何処にあるのかを判定した結果を表示することが好ましい。例えば、ＦＡＸサーバ１０は、ＦＡＸサーバ１０側での設定値の設定に問題があると判定した場合には、「設定エラー」と表示する。また、ファイルサーバ２０側に問題がありフォルダ格納できないと判定した場合には、「共有フォルダエラー」と表示する。さらに、通信に問題がありフォルダ格納できないと判定した場合には、「通信エラー」と表示する。
【００５５】
ユーザは表示装置１５に表示された判断結果に基づいて、ファイルサーバ２０への保存が成功したか否かを確認する。ここで、保存に失敗している場合には、ステップＳ６１で設定した設定値が誤っている可能性があるので、必要に応じて、ステップＳ６１に戻り、設定処理をやり直し、設定値を再設定すればよい（Ｓ６６）。
【００５６】
このように、従来のシステムでは実際のファクシミリ受信が発生しないと、格納した設定値が正しいか否かを確認できなかったが、設定値を設定した時点でテスト処理を実施することにより、設定値の設定と設定確認を一連の流れで行うことが可能になる。
【００５７】
また、ＦＡＸサーバ１０は、テスト処理において、ダミーファイルの書き込み又は読み出しに失敗したとき、エラーの箇所を判定することができる。具体的には、ＦＡＸサーバ１０側に問題があるのか、ファイルサーバ２０側に問題があるのか、或いは、通信エラーであるのかを、ファイルサーバ２０から受信したメッセージ等に基づいて判定することが可能である。また、ファイルサーバ２０に送信したダミーファイルと、ファイルサーバ２０から読み出したダミーファイルとを比較照合した結果が一致しない場合には、通信自体に問題はないものの、ファイルサーバ２０側でのアクセス管理に問題があることを確認できる。
【００５８】
さらに、一般にファクシミリを利用するとき、利用環境（設置部署や利用目的等）によって、受信するファクシミリ文書に傾向（例えば、受信するファクシミリ文書は、モノクロが多いか、カラーが多いか。テキストが多いか画像が多いか。）が見られることが多いが、本実施形態では、ユーザが予め標準画像を選択しておくことによって、当該標準画像に対応したダミーファイルが作成されるので、ＦＡＸサーバ１０の利用環境に適したダミーファイルでテスト処理を行うことが可能になる。
【００５９】
また、テスト処理に問題がない場合には、ファイルサーバ２０に格納したダミーファイルを削除してもより、これにより、少なくともテスト格納したダミーファイルのファイルサイズ分の記憶領域を確保することが可能になる。
【００６０】
なお、本発明は、上記した実施の形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述の各処理ステップは処理内容に矛盾を生じない範囲で任意に順番を変更して又は並列に実行することができる。
【００６１】
例えば、設定値の設定が行われるたび、ウィザード形式などで設定が終了したと判断できる時点で自動的にテストを実施することによりユーザが指示することなくテストが行われ結果を知らせるようにしてもよい。
【００６２】
また、標準的なｎ回の受信サイズをＦＡＸサーバ１０に設定しておき、そのファイルサイズの画像ファイルを作成しファイルサーバ２０に格納できることを確認した後、書き込んだファイルを削除することでｎ回の受信ができることをユーザに通知してもよい。
【００６３】
さらに、本実施形態では、画像通信処理装置の一例としてＦＡＸサーバ１０の実施例について説明したが、複合機に本発明を適用してもよい。この場合、複合機は、電話回線等の公衆回線網経由で受信したファクシミリ文書データを印刷、又は、ファイルサーバ２０を含む他の出力先へ出力する機能を有することが好ましい。
【図面の簡単な説明】
【００６４】
【図１】ＦＡＸサーバ１０を含む画像通信処理システム１００の全体構成を示すブロック図である。
【図２】ＦＡＸサーバ１０の機能ブロックを示す図である。
【図３】ＦＡＸサーバ１０による設定値のテスト処理の流れを示すフローチャートである。
【符号の説明】
【００６５】
１０   ＦＡＸサーバ（画像通信処理装置）
１１   処理装置
１３   操作部
１４   記憶領域
１５   表示装置
１６   第１通信制御部（ネットワーク制御部）
１７   第２通信制御部（ファクシミリ受信制御部）
２０   ファイルサーバ（共有フォルダ）
２５   クライアントＰＣ
３０   通信ネットワーク
４０   公衆回線網
５０   ＦＡＸ機
１００ 画像通信処理システム
【図１】
2009027263.tif 000003
【図２】
2009027263.tif 000004
【図３】
2009027263.tif 000005